(57)【特許請求の範囲】
【請求項１】
入力された光信号をＲＦ電気信号に変換して出力する光電変換手段と、
前記出力されたＲＦ電気信号の振幅を調整する第１の振幅調整手段と、
前記出力されたＲＦ電気信号へ所定の遅延量を付加する遅延手段と、
光受信装置に混入された無線信号を検出し、雑音信号として出力する無線信号検出手段と、
前記第１の振幅調整手段と同等の処理を行うことによって、前記出力された雑音信号の振幅を調整する第２の振幅調整手段と、
前記出力された雑音信号の位相を反転させる位相反転手段と、
前記振幅が調整されると共に遅延量が付加されたＲＦ電気信号と、前記振幅が調整されると共に位相が反転された雑音信号と、を合波して出力する合波手段と、
前記光電変換手段に入力された光信号の光強度を計測して前記第１の振幅調整手段および第２の振幅調整手段へ出力する光強度検出手段とを備えた光受信装置であって、
前記第１の振幅調整手段は、前記入力された光強度に基づいて前記出力されたＲＦ電気信号の振幅を調整し、
前記第２の振幅調整手段は、前記入力された光強度に基づいて前記出力された雑音信号の振幅を調整することによって、前記第１の振幅調整手段と同等の処理を行う
光受信装置。
【請求項２】
前記第１の振幅調整手段は、
設定された減衰量を前記出力されたＲＦ電気信号へ付加することによって前記振幅を調整する第１の可変減衰手段と、
前記出力された光強度に基づいて、前記第１の可変減衰手段へ減衰量を設定する第１の利得制御手段と、を備え、
前記第２の振幅調整手段は、
設定された減衰量を前記出力された雑音信号へ付加することによって前記振幅を調整する第２の可変減衰手段と、
前記出力された光強度に基づいて、前記第２の可変減衰手段へ減衰量を設定する第２の利得制御手段と、を備える、
請求項１に記載の光受信装置。
【請求項３】
前記光電変換手段の電源をＯＮまたはＯＦＦに制御する電源制御手段と、
前記合波手段から出力された信号の信号レベルを検出して出力する信号レベル検出手段と、をさらに備え、
前記第２の利得制御手段は、前記光電変換手段の電源がＯＦＦの時に前記出力された信号レベルが最小になるように減衰量を調整し、前記光電変換手段の電源がＯＮの時に前記出力された光強度と前記調整された減衰量とに基づいて、前記第２の可変減衰手段へ減衰量を設定する、
請求項２に記載の光受信装置。
【請求項４】
前記合波手段と信号レベル検出手段との間に配置され、所定の周波数帯域の信号を除去するフィルター手段と、
前記ＲＦ電気信号の周波数帯域を複数に区分し、前記光電変換手段の電源がＯＦＦの時に区分された周波数帯域における前記出力された信号レベルが所定の閾値より大きい場合、該区分された周波数帯域を前記フィルター手段によって除去される周波数帯域に設定する周波数設定手段と、
をさらに備える、請求項３に記載の光受信装置。
【請求項５】
前記光電変換手段から出力されたＲＦ電気信号の振幅を所定のレベルに増幅して出力する第１の増幅手段と、
前記無線信号検出手段から出力された雑音信号の振幅を所定のレベルに増幅して出力する第２の増幅手段と、
前記合波手段から出力された信号の振幅を所定のレベルに増幅して出力する第３の増幅手段と、
をさらに備える、請求項１乃至４のいずれか１項に記載の光受信装置。
【請求項６】
入力された光信号に基づいてＲＦ電気信号を出力する請求項１乃至５のいずれか１項に記載の光受信装置と、
前記出力されたＲＦ電気信号を復調して画像を表示する画像表示装置と、
を備えた画像再生装置。
【請求項７】
入力された光信号をＲＦ電気信号に変換して出力する光電変換手段と、
光受信装置に混入された無線信号を検出して雑音信号として出力する無線信号検出手段と、
前記出力されたＲＦ電気信号の振幅を調整する第１の振幅調整手段と、
前記出力されたＲＦ電気信号へ所定の遅延量を付加する遅延手段と、
前記第１の振幅調整手段と同等の処理を行うことによって前記出力された雑音信号の振幅を調整する第２の振幅調整手段と、
前記出力された雑音信号の位相を反転させる位相反転手段と、
前記振幅が調整されると共に遅延量が付加されたＲＦ電気信号と、前記振幅が調整されると共に位相が反転された雑音信号と、を合波して出力する合波手段と、
光強度検出手段とを備えた光受信装置を用いた光受信方法であって、
前記光強度検出手段は、前記光電変換手段に入力された光信号の光強度を計測して前記第１の振幅調整手段および第２の振幅調整手段へ出力し、
前記第１の振幅調整手段は、前記入力された光強度に基づいて前記出力されたＲＦ電気信号の振幅を調整し、
前記第２の振幅調整手段は、前記入力された光強度に基づいて前記出力された雑音信号の振幅を調整することによって、前記第１の振幅調整手段と同等の処理を行う
光受信装置を用いた光受信方法。
【発明の詳細な説明】
【技術分野】
【０００１】
本発明は、光受信装置、画像再生装置および光受信装置における雑音信号除去方法に関する。
【背景技術】
【０００２】
一般的な光受信装置においては、金属筐体やシールド部品等によって内部回路を覆うことにより電波を遮蔽する。一般的な光受信装置としては、例えば、特許文献１に開示されている光受信装置等を適用できる。これらの電波遮蔽構造は、装置内部への電波の侵入をある程度抑制できるものの、金属筐体の隙間や光ケーブル取り出し口の開口部等があるため、内部回路を完全に密閉する事は困難であり、完全な電波遮蔽を行う事は難しい。金属筐体やシールド部品の上から、さらに筐体やシールドを追加する２重構造とすれば電波遮蔽効果を向上できるが、部品点数増加により装置コストが増加してしまう。
【０００３】
また、電波遮蔽構造を用いた場合でも、無線ＬＡＮ（Ｌｏｃａｌ  Ａｒｅａ  Ｎｅｔｗｏｒｋ）装置や携帯電話を光受信装置の直近で使用する場合は、光受信装置が被る電波強度が大きく、電波遮蔽構造だけでは無線信号の内部回路への影響を防ぐことはできない。光受信装置内に侵入した電波を内部回路で拾いこんだ場合、ＴＶ放送信号である高周波（ＲＦ：ｒａｄｉｏ  ｆｒｅｑｕｅｎｃｙ）多重電気信号と無線信号が重畳してしまう。無線信号周波数とＲＦ多重電気信号の周波数が同じ場合、無線信号がノイズとなりＴＶ映像に影響を与える。
【０００４】
装置に混入された無線ノイズを除去する技術は、例えば、特許文献２〜４に開示されている。特許文献１には、装置内に侵入したノイズ信号の位相と振幅を調整してアンテナで受信した信号と合波することによって、ノイズ信号の除去を行うことが開示されている。特許文献２には、外部アンテナとノイズ信号受信用のアンテナとを配置し、ノイズ信号受信用アンテナで受信した信号の位相を反転して外部アンテナで受信した信号と合波することにより、ノイズ信号除去を行うことが開示されている。さらに、特許文献３には、ダミープリアンプを配置し、プリアンプからの出力とダミープリアンプからの出力とを差動入力アンプによって相殺させることにより、ノイズを除去することが開示されている。
【先行技術文献】
【特許文献】
【０００５】
【特許文献１】特開２０１２−２０５００３号公報
【特許文献２】特開２０１３−０９８７６７号公報
【特許文献３】特開２０１０−００４４５１号公報
【特許文献４】特開平８−１３９３４２号公報
【発明の概要】
【発明が解決しようとする課題】
【０００６】
しかし、特許文献２、３の技術は、無線信号を受信する装置に対してのノイズ除去技術であり、光受信装置へそのまま適用する事はできない。また、特許文献４の技術は、機能が単純な光部品においての技術であり、複数の回路が配置された高機能の光受信装置へそのまま適用する事はできない。
【０００７】
本発明は上記の課題に鑑みてなされたものであり、複数の回路が配置された高機能の光受信装置において光受信装置へ混入された雑音信号を回路上において高精度に除去できる光受信装置、該光受信装置が配置された画像再生装置および該光受信装置における雑音信号除去方法を提供することを目的とする。
【課題を解決するための手段】
【０００８】
上記目的を達成するために本発明に係る光受信装置は、入力された光信号をＲＦ電気信号に変換して出力する光電変換手段と、出力されたＲＦ電気信号の振幅を調整する第１の振幅調整手段と、出力されたＲＦ電気信号へ所定の遅延量を付加する遅延手段と、光受信装置に混入された無線信号を検出し、雑音信号として出力する無線信号検出手段と、第１の振幅手段と同等の処理を行うことによって、出力された雑音信号の振幅を調整する第２の振幅調整手段と、出力された雑音信号の位相を反転させる位相反転手段と、振幅が調整されると共に遅延量が付加されたＲＦ電気信号と、振幅が調整されると共に位相が反転された雑音信号と、を合波して出力する合波手段と、を備える。
【０００９】
上記目的を達成するために本発明に係る画像再生装置は、入力された光信号に基づいてＲＦ電気信号を出力する上記の光受信装置と、出力されたＲＦ電気信号を復調して画像を表示する画像表示装置と、を備える。
【００１０】
上記目的を達成するために本発明に係る雑音信号除去方法は、入力された光信号をＲＦ電気信号に変換して出力する光電変換手段および光受信装置に混入された無線信号を検出して雑音信号として出力する無線信号検出手段を備える光受信装置における雑音信号除去方法であって、出力されたＲＦ電気信号の振幅を調整すると共に出力されたＲＦ電気信号へ所定の遅延量を付加し、ＲＦ電気信号に対するのと同等の処理を行うことによって出力された雑音信号の振幅を調整すると共に出力された雑音信号の位相を反転させ、振幅が調整されると共に遅延量が付加されたＲＦ電気信号と、振幅が調整されると共に位相が反転された雑音信号と、を合波して出力する。
【発明の効果】
【００１１】
上述した本発明の態様によれば、複数の回路が配置された高機能の光受信装置において、光受信装置へ混入された雑音信号を回路上において高精度に除去できる。
【図面の簡単な説明】
【００１２】
【図１】第１の実施形態に係る光受信装置１０のブロック構成図である。
【図２】（ａ）第１の実施形態の変形例に係る光受信装置１０Ｂのブロック構成図、（ｂ）第１の実施形態の変形例に係る別の光受信装置１０Ｃのブロック構成図である。
【図３】第２の実施形態に係る光受信装置１００のブロック構成図である。
【図４】第２の実施形態に係る光受信装置１００が可変減衰部３４０の減衰量を設定する時の動作フロー図である。
【図５】第２の実施形態に係る光受信装置１００がＡＧＣ制御を行う場合の動作フロー図である。
【図６】第２の実施形態の変形例に係る光受信装置１００Ｂのブロック構成図である。
【図７】第３の実施形態に係る光受信装置１００Ｃのブロック構成図である。
【図８】第３の実施形態に係る光受信装置１００Ｃがフィルター回路４３０Ｃを設定する時の動作フロー図である。
【図９】第４の実施形態に係るＣＡＴＶサービスシステム５００のシステム構成図である。
【発明を実施するための形態】
【００１３】
＜第１の実施形態＞
本発明に係る第１の実施形態について説明する。本実施形態に係る光受信装置のブロック構成図を図１に示す。図１において、光受信装置１０は、光電変換手段２１、第１の振幅調整手段２２、遅延手段２３、無線信号検出手段３１、第２の振幅調整手段３２、位相反転手段３３および合波手段４０を備える。
【００１４】
光電変換手段２１は、光受信装置１０に入力された光信号をＲＦ電気信号に変換して第１の振幅調整手段２２へ出力する。第１の振幅調整手段２２は、入力されたＲＦ電気信号の振幅を調整して遅延手段２３へ出力する。遅延手段２３は、入力されたＲＦ電気信号へ所定の遅延量を付加して合波手段４０へ出力する。本実施形態に係る遅延手段２３は、後述する雑音信号が位相反転手段３３を通過するのに要する時間と同等の時間を、遅延量として付加する。ここで、ＲＦ電気信号には光受信装置１０に混入された無線信号も重畳されている。
【００１５】
無線信号検出手段３１は、光受信装置１０に混入された無線信号を検出し、雑音信号として第２の振幅調整手段３２へ出力する。第２の振幅調整手段３２は、第１の振幅調整手段２２と同等の処理を行うことによって、入力された雑音信号の振幅を調整して位相反転手段３３へ出力する。位相反転手段３３は、入力された雑音信号の位相を反転させて合波手段４０へ出力する。
【００１６】
合波手段４０は、遅延手段２３から入力された振幅が調整されると共に遅延量が付加されたＲＦ電気信号と、位相反転手段３３から入力された振幅が調整されると共に位相が反転された雑音信号と、を合波して出力する。
【００１７】
遅延手段２３から出力されたＲＦ多重電気信号と、位相反転手段３３から出力された雑音信号とは、振幅が同等に調整されている一方、位相が互いに逆向きであることから、合波手段４０において両者を合波することによってＲＦ多重電気信号に重畳されていた雑音信号、すなわち、ＲＦ多重電気信号に重畳されていた無線信号が相殺される。
【００１８】
以上のように、本実施形態に係る光受信装置１０は、混入された無線信号を回路上において高精度に除去することができる。
【００１９】
＜第１の実施形態の変形例＞
第１の実施形態の変形例に係る光受信装置について説明する。一般的な光受信装置においては、光受信装置に入力された光信号の光強度に応じてＲＦ多重電気信号の強度を変化させる。本実施形態では、入力された光信号の光強度の変化に応じて第１の振幅調整手段２２および第２の振幅調整手段３２における処理を調整する。本実施形態に係る光受信装置のブロック構成図を図２（ａ）に示す。図２（ａ）の光受信装置１０Ｂは、図１の光受信装置１０に光強度検出手段５０Ｂを配置することによって形成される。
【００２０】
光強度検出手段５０Ｂは、光電変換手段２１に入力された光信号の光強度を計測して第１の振幅調整手段２２Ｂおよび第２の振幅調整手段３２Ｂへ出力する。
【００２１】
第１の振幅調整手段２２Ｂは、入力された光強度に追随させて、入力されたＲＦ電気信号の振幅を調整する。一方、第２の振幅調整手段３２Ｂは、入力された光強度に追随させて入力された雑音信号の振幅を調整することによって、第１の振幅調整手段２２Ｂと同等の処理を行う。
【００２２】
第１の振幅調整手段２２Ｂおよび第２の振幅調整手段３２Ｂが、光強度検出手段５０Ｂにおいて検出した光電変換手段２１に入力された光信号の光強度に基づいて振幅を調整することにより、光受信装置１０Ｂに入力された光信号の光強度が変化した場合においても、高精度にＲＦ多重電気信号に重畳された無線信号を除去することができる。
【００２３】
次に、第１の実施形態の変形例に係る別の光受信装置について説明する。本実施形態に係る光受信装置のブロック構成図を図２（ｂ）に示す。図２（ｂ）の光受信装置１０Ｃは、図２（ａ）の光受信装置１０Ｂに電源制御手段６１Ｃおよび信号レベル検出手段６２Ｃを配置することによって形成される。
【００２４】
電源制御手段６１Ｃは、光電変換手段２１の電源をＯＮ／ＯＦＦ制御する。光電変換手段２１の電源がＯＦＦされることにより、光電変換手段２１からＲＦ多重電気信号が出力されなくなり、第１の振幅調整手段２２Ｂへは光受信装置１０に混入された無線信号のみが入力される。
【００２５】
信号レベル検出手段６２Ｃは、合波手段４０から出力された信号の信号レベルを検出して第２の振幅調整手段３２Ｃへ出力する。
【００２６】
第２の振幅調整手段３２Ｃは、電源制御手段６１Ｃが光電変換手段２１の電源をＯＦＦした時、信号レベル検出手段６２Ｃから入力された信号レベルが最小になるように、入力された雑音信号の振幅を調整する。そして、信号レベル検出手段６２Ｃから出力される信号レベルが最小になるように雑音信号の振幅が調整された後に電源制御手段６１Ｃが光電変換手段２１の電源をＯＮすることにより、第２の振幅調整手段３２Ｃは、電源がＯＦＦの時に調整した振幅を基準として、光強度検出手段５０Ｂから入力された光強度に追随させて、入力された雑音信号の振幅を調整する。
【００２７】
光電変換手段２１がＯＦＦの時、合波手段４０へは、振幅が調整されると共に遅延量が付加された無線信号が遅延手段２３から入力されると共に、振幅が調整されると共に位相が反転された雑音信号が位相反転手段３３から入力される。従って、光電変換手段２１がＯＦＦの時に合波手段４０から出力された信号の信号レベルが最小となるように第２の振幅調整手段３２Ｃが雑音信号の振幅を調整することにより、ＲＦ多重電気信号に重畳された無線信号の除去をさらに高精度に行うことができる。
【００２８】
＜第２の実施形態＞
第２の実施形態について説明する。本実施形態に係る光受信装置のブロック構成図を図３に示す。図３において、光受信装置１００は、ＲＦ信号出力部２００、無線信号処理部３００および減衰量調整制御部４００を備える。
【００２９】
ＲＦ信号出力部２００は、光コネクタ２１０、光電変換部２２０、増幅器２３０、受光パワー検出部２４０、利得制御部２５０、可変減衰部２６０、増幅器２７０および出力端子２８０を備え、光受信装置１００へ入力された光信号に基づくＲＦ多重電気信号を生成して出力する。
【００３０】
光コネクタ２１０に、図示されない光ケーブルが接続される。光ケーブルおよび光コネクタ２１０を介して光信号が光受信装置１００へ入力される。
【００３１】
光電変換部２２０は、光受信装置１００へ入力された光信号をＲＦ多重電気信号へ変換して増幅器２３０へ出力する。本実施形態に係る光電変換部２２０は、光ケーブルと受光素子フォトダイオードとが一体となったピグテール型受光素子が適用される。この光電変換部２２０は、光信号を受光することによってＲＦ多重電気信号が重畳された光電流を出力し、該光電流を抵抗負荷を用いて電圧信号に変換し、ＲＦ多重電気信号として出力する。
【００３２】
増幅器２３０は、入力されたＲＦ多重電気信号を所望のレベルまで増幅して可変減衰部２６０へ出力する。増幅器２３０は、ＲＦ多重電気信号で用いられる周波数範囲において、低ノイズ、利得の周波数特性が優れている事が望ましい。
【００３３】
受光パワー検出部２４０は、光電変換部２２０において受光された光信号の受光パワーを検出して利得制御部２５０および後述する利得制御部３３０へ出力する。本実施形態に係る受光パワー検出部２４０は、光電変換部２２０から出力された光電流の直流成分を、抵抗負荷によって受光パワーに応じた電圧に変換し、この電圧レベルによって光電変換部２２０の受光パワーを検出する。
【００３４】
利得制御部２５０は、受光パワー検出部２４０から入力された受光パワーレベルに応じた信号減衰を行う。本実施形態に係る利得制御部２５０は、出力端子２８０から出力されるＲＦ多重電気信号の信号レベルが装置仕様レベルとなるように、可変減衰部２６０の信号減衰量を設定する。
【００３５】
可変減衰部２６０は、利得制御部２５０の制御に応じて、増幅器２３０から入力されたＲＦ多重電気信号の信号レベルを調整し、後述する信号遅延部３６０へ出力する。可変減衰部２６０によって信号レベルが調整されることにより、出力端子２８０から出力されるＲＦ多重電気信号の信号レベルが装置仕様レベルとなる。
【００３６】
増幅器２７０は、後述する合波部３７０から入力された、無線信号が除去されたＲＦ多重電気信号の振幅を所望のレベルまで増幅して出力端子２８０へ出力する。
【００３７】
出力端子２８０は、同軸ケーブルを接続するためのＲＦ端子であり、入力されたＲＦ多重電気信号を接続された同軸ケーブルへ出力する。例えば、出力端子２８０に同軸ケーブルが接続されることにより、同軸ケーブルを介して光受信装置１００と図示しない映像再生装置とが接続される。
【００３８】
ここで、出力端子２８０から出力されるＲＦ多重電気信号の信号レベルは、８０ｄＢμＶ程度の一定の値が要求されるため、光受信装置１００へ入力される光信号の受光パワーが変化した場合においてもＲＦ多重電気信号レベルを一定値に制御するための、ＡＧＣ（Ａｕｔｏ  Ｇａｉｎ  Ｃｏｎｔｒｏｌ）制御が施される。本実施形態において、受光パワー検出部２４０、利得制御部２５０および可変減衰部２６０が受光パワー変化に追従してＲＦ多重電気信号の信号レベルを調整し、ＡＧＣ回路を構成している。なお、受光パワーが変化することによってＡＧＣ制御により可変減衰部２６０の減衰量が変化する場合、ＲＦ多重電気信号回路において拾い込んだ無線信号もＲＦ多重電気信号と同じ回路を通過することから、無線信号レベルも変化する。
【００３９】
無線信号処理部３００は、無線信号受信回路３１０、増幅器３２０、利得制御部３３０、可変減衰部３４０、位相制御部３５０、信号遅延部３６０および合波部３７０を備え、ＲＦ多重電気信号に重畳された無線信号と同レベルで且つ逆位相の無線信号を生成し、生成した無線信号をＲＦ多重電気信号と合波する。
【００４０】
無線信号受信回路３１０は、光受信装置１００に混入された無線信号を検出し、検出した無線信号を増幅器３２０へ出力する。無線信号受信回路３１０は、電波受信用アンテナ、回路パターンアンテナ、光電変換部２２０と同様の部品を未実装とした回路パターン等によって構成することができる。ここで、光電変換部２２０の出力端において拾い込まれた無線信号は、後段の増幅器２３０、２７０を全て通過することによってノイズレベルが増幅されることから、無線信号受信回路３１０は光電変換部２２０の近傍に配置される事が好ましい。
【００４１】
増幅器３２０は、無線信号受信回路３１０において検出された無線信号のレベルを所望のレベルまで増幅して出力する。
【００４２】
利得制御部３３０は、受光パワー検出部２４０からの情報と後述するＲＦ検出器４２０からの情報とを用いて、ＲＦ多重電気信号に重畳されている無線信号の信号レベルと無線信号受信回路３１０において検出した無線信号の信号レベルとが同じとなるように、可変減衰部３４０へ設定する減衰量を調整する。利得制御部３３０はさらに、受光パワー検出部２４０において検出した受光パワーに応じた信号減衰を行う事によって、受光パワー変化に追従したノイズ除去動作を実現する。
【００４３】
可変減衰部３４０は、利得制御部３３０の制御により、増幅器３２０から入力された無線信号の信号レベルを調整し、位相制御部３５０へ出力する。可変減衰部３４０において信号レベルが調整されることにより、無線信号の信号レベルがＲＦ多重電気信号に重畳されている無線信号の信号レベルと同じになる。
【００４４】
位相制御部３５０は、入力された無線信号の位相を１８０度変化させ、逆位相の無線信号を合波部３７０へ出力する。
【００４５】
信号遅延部３６０は、例えば、信号線路長を長く設定されることによって伝搬時間を伸ばす。無線信号受信回路３１０において検出された無線信号は、位相制御部３５０において位相変換されるが、位相変換時間が加わることによってＲＦ多重電気信号に重畳された無線信号よりも信号遅延が発生する。信号遅延部３６０は、無線信号が位相制御部３５０を通過する際に生じる時間と同じ時間だけ可変減衰部２６０から入力されたＲＦ多重電気信号を遅延させ、合波部３７０へ出力する。
【００４６】
合波部３７０は、信号遅延部３６０から入力されたＲＦ多重電気信号に、位相制御部３５０から入力された逆位相の無線信号を合波して出力する。信号遅延部３６０から入力されるＲＦ多重電気信号と位相制御部３５０から入力される無線信号とは振幅が同等に調整されていると共に逆向きの位相を有する。信号遅延部３６０から入力されるＲＦ多重電気信号に重畳されている無線信号と、位相制御部３５０から入力される無線信号とは同等の振幅を有することから、信号遅延部３６０から出力されたＲＦ多重電気信号に、位相制御部３５０から出力された逆位相の無線信号が合波されることにより、ＲＦ多重電気信号に重畳されている無線信号が相殺される。
【００４７】
減衰量調整制御部４００は、電圧制御回路４１０およびＲＦ検出器４２０を備え、光電変換部２２０の電源をＯＦＦした時のＲＦ検出器４２０からの出力を用いて、可変減衰部３４０に設定する減衰量を調整する。
【００４８】
電圧制御回路４１０は、光電変換部２２０の電源ＯＮ／ＯＦＦ制御を行う。光電変換部２２０の電源がＯＦＦされた場合、光コネクタ２１０に光信号が出射されている状態であっても光電変換部２２０からＲＦ多重電気信号は出力されない。そして、光電変換部２２０の電源がＯＦＦされた場合、増幅器２３０には光受信装置１００が拾いこんだ無線信号のみが入力される。
【００４９】
ＲＦ検出器４２０は、電圧制御回路４１０によって光電変換部２２０の電源がＯＦＦされた状態において、合波部３７０から出力される無線信号のレベルを測定する。上述のように、光電変換部２２０の電源がＯＦＦされた場合、信号遅延部３６０から合波部３７０へは、光受信装置１００が拾いこんだ無線信号が増幅器２３０および可変減衰部２６０を介して入力する。一方、位相制御部３５０から合波部３７０へは、光電変換部２２０の電源のＯＮ／ＯＦＦに影響されることなく無線信号受信回路３１０において検出した光受信装置１００に混入された無線信号が、増幅器３２０および可変減衰部３４０を介して入力する。光電変換部２２０の電源ＯＦＦ時に合波部３７０において除去しきれない無線信号がＲＦ検出器４２０において検出されることから、この時に検出される無線信号レベルが最小となるように、可変減衰部３４０の減衰量を調整する。
【００５０】
上記のように構成された光受信装置１００が可変減衰部３４０の減衰量を設定する時の詳細な動作手順を図４に沿って説明する。可変減衰部３４０の減衰量を設定する場合、先ず、電圧制御回路４１０は光電変換部２２０の電源をＯＮする（Ｓ１０１）。
【００５１】
光電変換部２２０は、光コネクタ２１０を介して光ケーブルから入力された光信号をＲＦ多重電気信号へ変換して出力する。ＲＦ多重電気信号は、増幅器２３０において所望のレベルまで増幅されて可変減衰部２６０へ入力される（Ｓ１０２）。
【００５２】
一方、無線信号受信回路３１０は、光受信装置１００に混入された無線信号を検出する。検出された無線信号は、増幅器３２０において所望のレベルまで増幅されて可変減衰部３４０へ入力される（Ｓ１０３）。
【００５３】
受光パワー検出部２４０は、光電変換部２２０において受光された光信号の受光パワーを検出して利得制御部２５０および利得制御部３３０へ出力する（Ｓ１０４）。
【００５４】
利得制御部２５０は、受光パワー検出部２４０から入力された受光パワーに基づいて、ＲＦ多重電気信号レベルが装置仕様の規定値となるように可変減衰部２６０の減衰量を設定する。可変減衰部２６０は、増幅器２３０から入力されたＲＦ多重電気信号のパワーを、利得制御部２５０によって設定された減衰量に応じて調整し、信号遅延部３６０へ出力する。信号遅延部３６０は、位相制御部３５０を通過するのと同等の遅延量を入力されたＲＦ多重電気信号へ付加して合波部３７０へ出力する（Ｓ１０５）。
【００５５】
一方、利得制御部３３０は、受光パワー検出部２４０から入力された受光パワーに基づいて、可変減衰部３４０の減衰量を設定する。これにより、可変減衰部３４０には利得制御部２５０が可変減衰部２６０に設定した減衰量と同等の減衰量が設定される。可変減衰部３４０は、増幅器３２０から入力された無線信号のパワーを利得制御部３３０によって設定された減衰量に応じて調整し、位相制御部３５０へ出力する。そして、位相制御部３５０は入力された無線信号の位相を反転して合波部３７０へ出力する（Ｓ１０６）。
【００５６】
利得制御部２５０による可変減衰部２６０の減衰量の設定を維持した状態で、電圧制御回路４１０が光電変換部２２０の電源をＯＦＦする（Ｓ１０７）。光電変換部２２０の電源がＯＦＦされることにより、光電変換部２２０からのＲＦ多重電気信号の出力が停止する。これにより、ＲＦ多重電気信号回路において拾い込んだ無線信号のみが、増幅器２３０、可変減衰部２６０および信号遅延部３６０を介して合波部３７０へ入力される。一方、無線信号受信回路３１０は、光電変換部２２０の電源ＯＦＦに影響を受けることなく、光受信装置１００に混入された無線信号を検出する。そして、無線信号受信回路３１０において検出された無線信号は、増幅器３２０、可変減衰部３４０および位相制御部３５０を介して合波部３７０へ出力される。
【００５７】
合波部３７０は、信号遅延部３６０から入力された無線信号（ＲＦ多重電気信号回路に拾い込まれた無線信号）と、位相制御部３５０から入力された無線信号（無線信号受信回路３１０において検出された無線信号）と、を合波して出力する（Ｓ１０８）。
【００５８】
ＲＦ検出器４２０は、合波部３７０から出力された無線信号のレベルを測定して利得制御部３３０へ出力する。利得制御部３３０は、光電変換部２２０の電源がＯＦＦされている場合、ＲＦ検出器４２０から入力された測定値が最小となるように、可変減衰部３４０の減衰量を設定する（Ｓ１０９）。光電変換部２２０の電源がＯＦＦされている時に合波部３７０から出力された無線信号のレベルが最小となるように利得制御部３３０の減衰量が調整されることにより、ＲＦ多重電気信号回路に拾い込まれた無線信号が合波部３７０において相殺される。
【００５９】
そして、本実施形態に係る光受信装置１００は、上述の手順によって可変減衰部３４０の減衰量を設定した後、光電変換部２２０の電源を再度ＯＮする。光電変換部２２０の電源が再度ＯＮされることによって光電変換部２２０からのＲＦ多重電気信号の出力が再開され、一般的な光受信装置と同様に動作する。すなわち、受光パワー検出部２４０において検出された受光パワーレベルに応じたＡＧＣ制御が開始され、合波部３７０においてＲＦ多重電気信号回路に拾い込まれた無線信号が相殺されたＲＦ多重電気信号が、増幅器２７０において所定のレベルまで増幅され、出力端子２８０から、例えば、映像再生装置等の外部機器へ出力される。
【００６０】
次に、本実施形態に係る光受信装置１００がＡＧＣ制御を行う場合の動作手順を図５に沿って説明する。光電変換部２２０の受光パワーが変化した場合（Ｓ２０１）、ＡＧＣ制御が行われる。すなわち、受光パワー検出部２４０によって検出された受光パワーレベルに基づいて、利得制御部２５０が出力端子２８０から出力されるＲＦ多重電気信号の信号レベルが装置仕様内となるように可変減衰部２６０の設定を変更する（Ｓ２０２）。一方、利得制御部３３０は、受光パワー検出部２４０によって検出された受光パワーレベルに基づいて、利得制御部２５０が可変減衰部２６０へ設定した減衰量と同等の減衰量を可変減衰部３４０へ設定する（Ｓ２０３）。
【００６１】
合波部３７０において、信号レベルが検出された受光パワーレベルに基づいて調整されると共に逆位相を有する、信号遅延部３６０からのＲＦ多重電気信号と位相制御部３５０からの無線信号が合波される（Ｓ２０４）。利得制御部３３０が、受光パワー検出部２４０によって検出された受光パワーレベルに基づいて可変減衰部３４０の設定を変更することにより、無線信号に対しても利得制御部２５０におけるＡＧＣ制御と同様の処理が行われる。従って、ＲＦ多重電気信号回路で拾いこんだ無線信号が相殺されたＲＦ多重電気信号が出力端子２８０から出力される。
【００６２】
以上のように、本実施形態に係る光受信装置１００は、光信号の受光パワーが変化した場合においても、受光パワーの変化に追従した無線信号レベルの調整が行われ、ＲＦ多重電気信号から無線信号ノイズが安定的に除去される。
【００６３】
周囲環境から無線信号を拾いこんだ場合においても、無線信号が除去されたＲＦ多重電気信号を出力できることから、本実施形態に係る光受信装置１００は、電波信号の強い環境で使用することができる。例えば、光受信装置１００の近傍に無線ＬＡＮ装置を設置する事ができ、光受信装置１００と無線ＬＡＮ装置を組み合わせた装置を提供する事ができる。
【００６４】
また、無線信号の除去を回路内部で行っているため、光受信装置１００に配置される金属筐体・シールド部品を簡易化・削減することができ、部品・製造コストを低下させることができる。
【００６５】
＜第２の実施形態の変形例＞
第２の実施形態の変形例について説明する。本実施形態に係る光受信装置は、ＲＦ多重電気信号回路で拾い込む無線信号レベルが既知である場合に適用される。ＲＦ多重電気信号回路で拾い込む無線信号レベルが設計や検査にて既知である場合、必要な逆位相無線信号レベルも既知となり、利得制御部３３０に減衰量の最適値（固定値）を予め設定しておくことができる。この場合、減衰量調整制御部４００を削除することができる。
【００６６】
本実施形態に係る光受信装置のブロック構成図を図６に示す。図６の光受信装置１００Ｂは、第２の実施形態で説明した図３の光受信装置１００から減衰量調整制御部４００（電圧制御回路４１０およびＲＦ検出器４２０）を削除することによって形成される。減衰量調整制御部４００を省略することにより、光受信装置１００Ｂのコストが低減される。
【００６７】
上記のように構成された光受信装置１００Ｂも、図３の光受信装置１００と同様に、ＲＦ多重電気信号を出力する一般的な光受信装置の機能と、ＲＦ多重電気信号に重畳された無線信号を除去する機能と、を備える。
【００６８】
すなわち、光受信装置１００Ｂは、光電変換部２２０Ｂにおいて入力された光信号をＲＦ多重電気信号へ変換し、増幅器２３０Ｂおよび増幅器２７０Ｂにおいて所望のレベルまで増幅した後、ＲＦ多重電気信号を出力端子２８０Ｂから出力する。
【００６９】
一方、光受信装置１００Ｂは、無線信号受信回路３１０Ｂにおいて無線信号を検出し、検出した無線信号を増幅器３２０Ｂにおいて増幅し、可変減衰部３４０Ｂにおいて所定の減衰量を付加し、位相制御部３５０Ｂにおいて位相を反転し、合波部３７０Ｂへ出力する。ＲＦ多重電気信号回路で拾いこむ無線信号のレベルが既知であるため、必要な逆位相無線信号レベルも既知となり、利得制御部３３０Ｂは、可変減衰部３４０Ｂに固定設定値である最適減衰量を設定する。
【００７０】
そして、合波部３７０Ｂにおいて、振幅が同等に調整され、逆位相を有する、ＲＦ多重電気信号および無線信号が合波されることにより、ＲＦ多重電気信号に重畳された無線信号が相殺される。
【００７１】
さらに、本実施形態に係る光受信装置１００Ｂは、利得制御部２５０Ｂおよび利得制御部３３０Ｂが受光パワー検出部２４０Ｂにおいて検出した受光パワーに応じた信号減衰を行う事により、ノイズ除去が継続される。すなわち、利得制御部２５０Ｂは、出力端子２８０Ｂから出力されるＲＦ多重電気信号の信号レベルが装置仕様内となるように、可変減衰部２６０Ｂへ設定する減衰量を変更する。一方、利得制御部３３０Ｂは、減衰量の固定設定値（初期値）に、受光パワー検出部２４０Ｂにおいて検出した受光パワー変動分を加味した減衰量を可変減衰部３４０Ｂへ設定する。これにより、光受信装置１００Ｂは、光電変換部２２０Ｂの受光パワーが変化した場合においても、受光パワーの変化に追従した無線信号レベルの調整を行い、ＲＦ多重電気信号から無線信号ノイズが安定的に除去される。
【００７２】
＜第３の実施形態＞
第３の実施形態について説明する。本実施形態に係る光受信装置は、振幅が調整され位相が反転された無線信号を合波してもＲＦ多重電気信号に重畳された無線信号を十分に除去できない場合に、無線信号の影響が大きい周波数帯域のＲＦ多重電気信号を遮断する事により、光受信装置から過大な無線信号ノイズが出力されることを抑制する。
【００７３】
本実施形態に係る光受信装置のブロック構成図を図７に示す。図７において、光受信装置１００Ｃは、ＲＦ信号出力部２００Ｃ、無線信号処理部３００Ｃおよび減衰量調整制御部４００Ｃを備える。ＲＦ信号出力部２００Ｃおよび無線信号処理部３００Ｃは、第２の実施形態で説明した図３のＲＦ信号出力部２００および無線信号処理部３００と同様である。本実施形態に係る減衰量調整制御部４００Ｃは、電圧制御回路４１０Ｃ、ＲＦ検出器４２０Ｃおよびフィルター回路４３０Ｃによって構成される。
【００７４】
電圧制御回路４１０Ｃは、第２の実施形態で説明した図３の電圧制御回路４１０と同様に、光電変換部２２０Ｃの電源ＯＮ／ＯＦＦ制御を行う。
【００７５】
ＲＦ検出器４２０Ｃは、電圧制御回路４１０Ｃにより光電変換部２２０Ｃの電源がＯＦＦされた状態において合波部３７０Ｃから出力される無線信号のレベルを測定し、測定した無線信号レベルが最小となるように、利得制御部３３０Ｃを制御する。本実施形態に係るＲＦ検出器４２０Ｃはさらに、フィルター回路４３０Ｃの透過周波数帯域および遮断周波数帯域を制御する。ＲＦ検出器４２０Ｃがフィルター回路４３０Ｃへ周波数帯域ごとに透過／遮断を設定する方法については後述する。
【００７６】
フィルター回路４３０Ｃは、動作させる周波数帯域が可変である周波数フィルターである。フィルター回路４３０ＣはＲＦ検出器４２０Ｃにより、７０ＭＨｚ〜２．６ＧＨｚの周波数帯域内において区分された周波数帯域ごとに、信号の透過／遮断が高精度に設定される。フィルター回路４３０Ｃにおいて無線信号レベルが高い周波数帯域の信号を遮断することにより、無線信号が出力端子２８０Ｃから過大に出力されることが抑制される。
【００７７】
上記のように構成された光受信装置１００Ｃも、図３の光受信装置１００と同様に、ＲＦ多重電気信号を出力する一般的な光受信装置の機能と、ＲＦ多重電気信号に重畳された無線信号を除去する機能と、を備える。
【００７８】
すなわち、光受信装置１００Ｃは、光電変換部２２０Ｃにおいて入力された光信号をＲＦ多重電気信号へ変換し、増幅器２３０Ｃおよび増幅器２７０Ｃにおいて所望のレベルまで増幅した後、ＲＦ多重電気信号を出力端子２８０Ｃから出力する。ここで、本実施形態に係る光受信装置１００Ｃにおいては、フィルター回路４３０Ｃによって無線信号の影響が大きい周波数帯域の信号が予め除去されたＲＦ多重電気信号が、出力端子２８０Ｃから出力される。
【００７９】
なお、フィルター回路４３０Ｃの周波数帯域制限がＯＦＦ状態の場合、フィルター回路４３０Ｃから７０ＭＨｚ〜２．６ＧＨｚの周波数帯のＲＦ多重電気信号が損失無く透過され、第２の実施形態で説明した図３の光受信装置１００と同様になる。
【００８０】
一方、光受信装置１００Ｃは、無線信号受信回路３１０Ｃにおいて無線信号を検出し、検出した無線信号を増幅器３２０Ｃにおいて増幅し、可変減衰部３４０Ｃにおいて所定の減衰量を付加し、位相制御部３５０Ｃにおいて位相を反転し、合波部３７０Ｃへ出力する。そして、振幅が同等に調整され、位相が互いに反転された、ＲＦ多重電気信号および無線信号を合波部３７０Ｃにおいて合波することにより、ＲＦ多重電気信号に重畳された無線信号が相殺される。さらに、利得制御部２５０Ｃおよび利得制御部３３０Ｃが受光パワー検出部２４０Ｃにおいて検出した受光パワーに応じた信号減衰を行う事により、受光パワー変化に追従したノイズ除去動作が実現される（ＡＧＣ制御）。
【００８１】
次に、本実施形態に係る光受信装置１００Ｃにおいて、ＲＦ検出器４２０Ｃがフィルター回路４３０Ｃにおける信号の透過／遮断を周波数帯ごとに設定する時の動作手順を説明する。フィルター回路４３０Ｃに周波数帯ごとに信号の透過・遮断を設定する場合、光受信装置１００Ｃは先ず、Ｓ３０１〜Ｓ３０９として、第２の実施形態で説明した図４の動作フローのＳ１０１〜Ｓ１０９と同様の動作を行う。すなわち、光電変換部２２０Ｃの電源がＯＮされた状態において利得制御部２５０Ｃが、出力端子２８０Ｃから出力されるＲＦ多重電気信号の信号レベルが装置仕様レベルとなるように、可変減衰部２６０Ｃの信号減衰量を設定し、利得制御部３３０Ｃが、利得制御部２５０Ｃが可変減衰部２６０Ｃへ設定した減衰量と同等の減衰量を可変減衰部３４０Ｃへ設定する（Ｓ３０１〜３０６）。その後、光電変換部２２０Ｃの電源をＯＦＦし、可変減衰部２６０Ｃの減衰量の設定を維持した状態で、ＲＦ検出器４２０Ｃにおける測定値が最小となるように可変減衰部３４０Ｃの減衰量を設定する（Ｓ３０７〜Ｓ３０９）。光受信装置１００ＣのＳ３１０以降の動作手順を図８に沿って説明する。
【００８２】
光電変換部２２０Ｃの電源がＯＦＦの時にＲＦ検出器４２０Ｃにおける測定値が最小となるように可変減衰部３４０Ｃの減衰量が設定された後、ＲＦ検出器４２０Ｃは、フィルター回路４３０Ｃを制御して、第１の周波数帯域（例えば、７０ＭＨｚ〜４５０ＭＨｚ）の信号のみを透過させる（Ｓ３１０）。これにより、ＲＦ検出器４２０Ｃにおいて、７０ＭＨｚ〜４５０ＭＨｚ帯域の無線信号のノイズレベルが測定される。ＲＦ検出器４２０Ｃは、７０ＭＨｚ〜４５０ＭＨｚ帯域の無線信号のノイズレベルがＲＦ多重電気信号の復調を困難にさせるレベルであるか否か判定し、判定結果に基づいて第１の周波数帯域（例えば、７０ＭＨｚ〜４５０ＭＨｚ）の信号の透過／遮断をフィルター回路４３０Ｃへ設定する（Ｓ３１１）。
【００８３】
例えば、ＲＦ検出器４２０Ｃは、７０ＭＨｚ〜４５０ＭＨｚ帯域の無線信号のノイズレベルが所定の閾値よりも小さい場合、７０ＭＨｚ〜４５０ＭＨｚの周波数帯の信号を透過させる設定をフィルター回路４３０Ｃに施す。一方、ＲＦ検出器４２０Ｃは、７０ＭＨｚ〜４５０ＭＨｚ帯域の無線信号のノイズレベルが所定の閾値よりも大きい場合、第１の周波数帯域（例えば、７０ＭＨｚ〜４５０ＭＨｚ）の信号を遮断させる設定をフィルター回路４３０Ｃに施す。
【００８４】
ＲＦ検出器４２０Ｃは、第１の周波数帯域（７０ＭＨｚ〜４５０ＭＨｚ）における信号の透過／遮断をフィルター回路４３０Ｃに設定した後、第２の周波数帯域（例えば、４５０ＭＨｚ〜９００ＭＨｚ）の信号が透過されるようにフィルター回路４３０Ｃを制御する（Ｓ３１２）。この時、第１の周波数帯域が透過に設定された場合、フィルター回路４３０Ｃは、第１および第２の周波数帯域（７０ＭＨｚ〜９００ＭＨｚ）の信号を透過する。一方、第１の周波数帯域が遮断に設定された場合、フィルター回路４３０Ｃは、第２の周波数帯域（４５０ＭＨｚ〜９００ＭＨｚ）の信号のみを透過する。
【００８５】
ＲＦ検出器４２０Ｃは、第２の周波数帯域の信号が透過されるようにフィルター回路４３０Ｃを制御した状態で、測定した無線信号のノイズレベルがＲＦ多重電気信号の復調を困難にさせるレベルであるか否か判定する。そして、Ｓ３１１と同様に、判定結果に基づいて第２の周波数帯域（４５０ＭＨｚ〜９００ＭＨｚ）の信号の透過／遮断をフィルター回路４３０Ｃへ設定する（Ｓ３１３）。
【００８６】
そして、ＲＦ検出器４２０Ｃは、区分された周波数帯域ごとにＳ３１２およびＳ３１３を繰り返す。ＲＦ検出器４２０Ｃによって全周波数帯域（７０ＭＨｚ〜２．６ＧＨｚ）についてフィルター回路４３０Ｃへ信号の透過／遮断が設定された時（Ｓ３１４のＹＥＳ）、光電変換部２２０Ｃの電源が再度ＯＮされる（Ｓ３１５）。光電変換部２２０Ｃの電源が再度ＯＮされることによって、光電変換部２２０ＣからのＲＦ多重電気信号の出力が再開される。
【００８７】
本実施形態に係る光受信装置１００Ｃにおいては、フィルター回路４３０Ｃによって、無線信号のノイズレベルがＲＦ多重電気信号に影響を与えるレベルである周波数帯が遮断される。これにより、光受信装置１００Ｃから過大な無線信号ノイズが出力されることが抑制される。
【００８８】
＜第４の実施形態＞
第４の実施形態について説明する。近年、光ケーブルが加入者まで引き込まれることにより（ＦＴＴＨ：Ｆｉｂｅｒ  Ｔｏ  Ｔｈｅ  Ｈｏｍｅ）、ケーブルテレビ（ＣＡＴＶ：Ｃａｂｌｅ  ｔｅｌｅｖｉｓｉｏｎ）サービスや共同受信システムにおける地上デジタル放送信号や衛星デジタル放送信号の送信手段として、光ケーブルが用いられることが一般的になっている。地上デジタル放送信号やＢＳ／ＣＳ衛星デジタル放送信号を光信号に変換してサービス契約者に送信するＣＡＴＶサービスにおいて、上述の光受信装置１００、１００Ｂ、１００Ｃをサービス契約者の住居に配置することができる。
【００８９】
本実施形態に係るＣＡＴＶサービスシステムのシステム構成図を図９に示す。図９において、ＣＡＴＶサービスシステム５００は、ＣＡＴＶサービス業者の局舎６００、複数のＣＡＴＶサービス契約者の住居８００Ａ、８００Ｂ、８００Ｃ、…、および、ＣＡＴＶサービス業者の局舎６００から出力された信号を複数のＣＡＴＶサービス契約者の住居８００まで伝播させる光信号伝播部７００によって構成される。
【００９０】
ＣＡＴＶサービス業者の局舎６００において、地上デジタル放送受信アンテナ６３０およびＢＳ／ＣＳ衛星放送受信アンテナ６４０を用いて、地上デジタル放送とＢＳ／ＣＳ衛星デジタル放送の電波が受信される。
【００９１】
ヘッドエンド装置６１０は、受信された地上デジタル放送信号およびＢＳ／ＣＳ衛星デジタル放送信号の信号パワーの調整、ＣＡＴＶサービスに適した周波数／変調方式への変換等を行い、ＲＦ信号として光送信器６２０へ出力する。
【００９２】
光送信器６２０は、入力されたＲＦ信号を用いて光信号を変調し、地上デジタル放送信号とＢＳ／ＣＳ衛星デジタル放送信号とが重畳された光信号を、光信号伝播部７００を介してＣＡＴＶサービス契約者の住居８００へ送信する。
【００９３】
光信号伝播部７００は、光ケーブル７１０、光増幅器７２０および光合分波器７３０によって構成される。光ケーブル７１０によって伝搬された光信号は、光増幅器７２０において所望のレベルに増幅され、光合分波器７３０において複数のＣＡＴＶサービス契約者の住居８００Ａ、８００Ｂ、８００Ｃ、…、に分配される。
【００９４】
ＣＡＴＶサービス契約者の住居８００Ａ、８００Ｂ、８００Ｃ、…、にそれぞれ、光受信装置８１０Ａ、８１０Ｂ、８１０Ｃおよび映像再生装置８２０Ａ、８２０Ｂ、８２０Ｃが配置されている。以下、それらを区別する必要がない場合は、単に、住居８００、光受信装置８１０、映像再生装置８２０と記載する。
【００９５】
ＣＡＴＶサービス契約者の住居８００において、光合分波器７３０から入力された光信号が、光受信装置８１０へ入力される。光受信装置８１０は、入力された光信号をＲＦ多重電気信号に変換し、映像再生装置８２０へ出力する。映像再生装置８２０は、入力されたＲＦ多重電気信号を復調して画像として表示する。
【００９６】
ここで、光受信装置８１０は、屋内又は家屋の外壁に設置される。屋外では、ＷＩＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）や携帯電話基地局が設置されており、送受信用アンテナから無線信号が出力されている。屋内では、無線ＬＡＮ装置や携帯電話から無線信号が出力されている。ＴＶ信号の伝送方式として同一周波数パススルー方式を用いたＣＡＴＶサービスの場合、光受信装置８１０のＲＦ出力端子からは、ＣＡＴＶで用いられるチャネル周波数７０ＭＨｚ〜７７０ＭＨｚの信号と、中間周波数で変換後のＢＳ／ＣＳ衛星デジタル放送（ＢＳ／ＣＳ−ＩＦ信号）で用いられる約１ＧＨｚ〜２．６ＧＨｚのＲＦ信号が出力される。
【００９７】
無線ＬＡＮでは２．４ＧＨｚ帯の無線周波数を主に使用し、携帯電話では７００ＭＨｚ、１．５ＧＨｚ、１．７ＧＨｚ、２ＧＨｚ帯等を使用している。これらの周波数帯域は光受信装置８１０から出力されるＲＦ多重電気信号の周波数帯域と重なる。光受信装置８１０は、無線信号を受信するためのアンテナは備えていないが、内部回路にＲＦ信号を増幅するための増幅器を多数実装しているため、光受信装置８１０が無線信号をノイズとして拾い込んだ場合、ＲＦ多重電気信号と同様に無線信号が増幅され、ＲＦ多重電気信号と共に映像再生装置８２０へ出力される。この場合、無線信号の影響によってＲＦ多重電気信号品質が劣化し、ＴＶ映像にノイズが出現したり、視聴できなくなったりする。そこで、本実施形態に係るＣＡＴＶサービスシステム５００においては、光受信装置８１０に上述の実施形態において説明した光受信装置１００、１００Ｂ、１００Ｃのいずれかを適用する。
【００９８】
すなわち、光受信装置８１０には、光ケーブル７１０を接続するための光コネクタが配置され、内蔵する光電変換回路と増幅回路とによって光信号を電気信号へ変換し、地上デジタル放送信号およびＢＳ／ＣＳ衛星デジタル放送信号をＲＦ出力端子から出力する。この信号をＳＴＢ（Ｓｅｔ  Ｔｏｐ  ＢＯＸ）やデジタル放送対応ＴＶ等の映像再生装置８２０へ送信することにより、映像再生装置８２０において地上デジタル放送、ＢＳ／ＣＳ衛星デジタル放送が視聴できるようになる。
【００９９】
本実施形態に係る光受信装置８１０は、光電変換部において入力された光信号をＲＦ多重電気信号へ変換し、増幅器によって所望のレベルまで増幅した後、ＲＦ多重電気信号を映像再生装置８２０へ出力する。上述の実施形態において説明したように、光受信装置８１０はさらに、無線信号受信回路において光受信装置８１０へ混入された無線信号を検出し、検出した無線信号を増幅および位相反転させる。そして、振幅が同等に調整され、逆位相を有する、ＲＦ多重電気信号および無線信号を合波部において合波することにより、重畳された無線信号が除去された高品質のＲＦ多重電気信号が映像再生装置８２０へ出力される。
【０１００】
本願発明は上記実施形態に限定されるものではなく、この発明の要旨を逸脱しない範囲の設計の変更等があってもこの発明に含まれる。
【符号の説明】
【０１０１】
１０、１０Ｂ、１０Ｃ    光受信装置
２１    光電変換手段
２２、２２Ｂ    第１の振幅調整手段
２３    遅延手段
３１    無線信号検出手段
３２、３２Ｂ、３２Ｃ    第２の振幅調整手段
３３    位相反転手段
４０    合波手段
５０Ｂ    光強度検出手段
６１Ｃ    電源制御手段
６２Ｃ    信号レベル検出手段
１００    光受信装置
２００    ＲＦ信号出力部
２１０    光コネクタ
２２０    光電変換部
２３０    増幅器
２４０    受光パワー検出部
２５０    利得制御部
２６０    可変減衰部
２７０    増幅器
２８０    出力端子
３００    無線信号処理部
３１０    無線信号受信回路
３２０    増幅器
３３０    利得制御部
３４０    可変減衰部
３５０    位相制御部
３６０    信号遅延部
３７０    合波部
４００    減衰量調整制御部
４１０    電圧制御回路
４２０    ＲＦ検出器
５００    ＣＡＴＶサービスシステム
６００    ＣＡＴＶサービス業者の局舎
６１０    ヘッドエンド装置
６２０    光送信器
６３０    地上デジタル放送受信アンテナ
６４０    ＢＳ／ＣＳ衛星放送受信アンテナ
７００    光信号伝播部
７１０    光ケーブル
７２０    光増幅器
７３０    光合分波器
８００    ＣＡＴＶサービス契約者の住居
８１０    光受信装置
８２０    映像再生装置
【図１】
0006309865.tif 000002
【図２】
0006309865.tif 000003
【図３】
0006309865.tif 000004
【図４】
0006309865.tif 000005
【図５】
0006309865.tif 000006
【図６】
0006309865.tif 000007
【図７】
0006309865.tif 000008
【図８】
0006309865.tif 000009
【図９】
0006309865.tif 000010